(57)【要約】【解決手段】電球型光源装置は、光源と、導光部材とを具備する。前記光源は、環状に設けられる。前記導光部材は、外側面と、前記光源に対向する入射端面と、前記入射端面から入射する光を前記外側面から出射するように構成された光学パターン部とを有する。【選択図】図１
2016035253.tif 000002
【特許請求の範囲】
【請求項１】
環状に設けられた光源と、
外側面と、前記光源に対向する入射端面と、前記入射端面から入射する光を前記外側面から出射するように構成された光学パターン部とを有する筒状の導光部材と
を具備する電球型光源装置。
【請求項２】
請求項１に記載の電球型光源装置であって、
機能部品と、
光反射機能を有する外周面を有し、前記外周面を前記導光部材に囲まれるように配置され、前記機能部品を保持するように構成された保持部材と
をさらに具備する電球型光源装置。
【請求項３】
請求項２に記載の電球型光源装置であって、
前記導光部材は、内側面をさらに有し、
前記光学パターン部は、前記内側面に形成された光学パターンを含む
電球型光源装置。
【請求項４】
請求項３に記載の電球型光源装置であって、
前記光学パターン部は、前記光学部材の前記外側面に形成された光学パターンを含む
電球型光源装置。
【請求項５】
請求項４に記載の電球型光源装置であって、
前記内側面および前記外側面の光学パターンのうち少なくとも一方は、光拡散機能を有する光学パターンである
電球型光源装置。
【請求項６】
請求項３に記載の電球型光源装置であって、
前記内側面に形成された光学パターンは、光を前記外側面を介して外部へ出射させるように光反射角度を変化させる機能を有する
電球型光源装置。
【請求項７】
請求項３に記載の電球型光源装置であって、
前記内側面に形成された光学パターンは、前記光源から遠くなるにしたがい密になるように設けられる
電球型光源装置。
【請求項８】
請求項２に記載の電球型光源装置であって、
前記導光部材の肉厚は、前記光源から遠くなるにしたがい薄くなるように設けられる
電球型光源装置。
【請求項９】
請求項２に記載の電球型光源装置であって、
前記導光部材は、前記入射端面とは反対側に設けられた端縁をさらに有し、
前記導光部材の外径は、前記入射端面から前記端縁に向かうにしたがい大きくなるように設けられる
電球型光源装置。
【請求項１０】
請求項９に記載の電球型光源装置であって、
前記導光部材の前記外側面を含む側壁は、前記導光部材の内部で前記入射端面と前記端縁とを直線で結ぶことができないように設定された曲率を有する
電球型光源装置。
【請求項１１】
請求項１に記載の電球型光源装置であって、
前記導光部材は、内側面をさらに有し、
前記光学パターン部は、前記内側面に形成された光学パターンを含む
電球型光源装置。
【請求項１２】
請求項１１に記載の電球型光源装置であって、
前記光学パターン部は、前記光学部材の前記外側面に形成された光学パターンを含む
電球型光源装置。
【請求項１３】
請求項１２に記載の電球型光源装置であって、
前記内側面および前記外側面の光学パターンは、光拡散機能を有する光学パターンである
電球型光源装置。
【請求項１４】
請求項１１に記載の電球型光源装置であって、
前記内側面に形成された光学パターンは、光を前記外側面を介して外部へ出射させるように光反射角度を変化させる機能を有する
電球型光源装置。
【請求項１５】
請求項１１に記載の電球型光源装置であって、
前記内側面に形成された光学パターンは、前記光源から遠くなるにしたがい密になるように設けられる
電球型光源装置。
【請求項１６】
請求項１に記載の電球型光源装置であって、
前記導光部材の肉厚は、前記光源から遠くなるにしたがい薄くなるように設けられる
電球型光源装置。
【請求項１７】
請求項１に記載の電球型光源装置であって、
前記導光部材は、前記入射端面とは反対側に設けられた端縁をさらに有し、
前記導光部材の外径は、前記入射端面から前記端縁に向かうにしたがい大きくなるように設けられる
電球型光源装置。
【請求項１８】
請求項１７に記載の電球型光源装置であって、
前記導光部材の前記外側面を含む側壁は、前記導光部材の内部で前記入射端面と前記端縁とを直線で結ぶことができないように設定された曲率を有する
電球型光源装置。
【請求項１９】
外側面と、
環状に設けられた光源に対向して配置されることが可能な入射端面と、
前記入射端面から入射する光を前記外側面から出射するように構成された光学パターン部とを具備し、
全体形状が筒状に設けられた導光部材。
【発明の詳細な説明】
【技術分野】
【０００１】
本技術は、電球型の光源装置およびこれに用いられる導光部材に関する。
【背景技術】
【０００２】
特許文献１には、ＬＥＤ（Light Emitting Diode）、ＬＥＤを保持する筐体、およびＬＥＤを覆う反射部材を備えた電球形ＬＥＤランプが開示されている。特許文献１の反射部材は、ＬＥＤからの光の一部を筐体の後方側（口金側）に反射させることによって、電球形ＬＥＤランプの配光を拡げる機能を有する。特許文献２には、光反射機能を有する反射体と、反射体を囲むように配置された複数の光源素子とを備えた照明装置が開示されている。特許文献２の反射体も、出射光を口金側へ向かうように反射させることで、配光を拡げる機能を有する。
また、本技術に関連する文献として、下記特許文献３がある。
【先行技術文献】
【特許文献】
【０００３】
【特許文献１】特開２０１３−１９１４０２号公報
【特許文献２】特開２０１３−１１８２０１号公報
【特許文献３】国際公開第２０１３／１０５１６９号
【発明の概要】
【発明が解決しようとする課題】
【０００４】
特許文献１および特許文献２のように、光反射機能を有する部材を光源装置に設け、部材の表面に当たった光を反射させることで配光を拡げる手法が知られている。
光源装置の配光角を拡げる技術として、新たな技術の実現が求められている。【０００５】
本技術の目的は、広範囲の配光角を実現する電球型光源装置およびこれに用いられる導光部材を提供することにある。
【課題を解決するための手段】
【０００６】
本技術に係る電球型光源装置は、光源と、導光部材とを具備する。
前記光源は、環状に設けられる。
前記導光部材は、外側面と、前記光源に対向する入射端面と、前記入射端面から入射する光を前記外側面から出射するように構成された光学パターン部とを有する。
筒状の導光部材は、光源から出射される光を、入射端面で取り込み、導光部材の外側面から出射される光に変換することができる。これにより広範囲の配光角を実現することができる。【０００７】
前記電球型光源装置は、機能部品と、光反射機能を有する外周面を有し、前記外周面を前記導光部材に囲まれるように配置され、前記機能部品を保持するように構成された保持部材とをさらに具備してもよい。
すなわち、導光部材が筒状に形成されているため、筒内の空間に他の部材を配置することができる。この場合、筒内に配置された保持部材が反射機能を有することで、光取り出し効率を高め、導光部材の外側面から光を出射させることができる。【０００８】
前記導光部材は、内側面をさらに有し、前記光学パターン部は、前記内側面に形成された光学パターンを含んでいてもよい。
導光部材は、光源から導光部材内に導かれた光を、内側面に形成された光学パターンによって外側面へ導いて出射することができる。【０００９】
前記光学パターン部は、前記光学部材の前記外側面に形成された光学パターンを含んでいてもよい。【００１０】
前記内側面および前記外側面の光学パターンは、光拡散機能を有する光学パターンであってもよい。
光拡散機能を有する光学パターンは、導光部材内部で全反射する光を拡散させることでき、面上輝度を平均化することができる。【００１１】
前記内側面に形成された光学パターンは、光を前記外側面を介して外部へ出射させるように光反射角度を変化させる機能を有していてもよい。【００１２】
前記内側面に形成された光学パターンは、前記光源から遠くなるにしたがい密になるように設けられていてもよい。
導光部材に入射端面から入射して、光源から遠い位置で内側面に到達する光の量は、光源から近い位置で内側面に到達する光の量に比べて少なくなる。これに対応させて、外側面に光を導く内側面の光学パターンを密にしていくことで、面上輝度の平均化の効果を高めることができる。【００１３】
前記導光部材の肉厚は、前記光源から遠くなるにしたがい薄くなるように設けられていてもよい。
上述したように、光源から遠い位置ほど、導光部材内部を進んでその位置に到達する光が少なくなる。導光部材の肉厚を徐々に薄くしていくことにより、光の取り出し効率を平均化できるので、面上輝度の平均化の効果を高めることができる。【００１４】
前記導光部材は、前記入射端面とは反対側に設けられた端縁をさらに有していてもよい。また、前記導光部材の外径は、前記入射端面から前記端縁に向かうにしたがい大きくなるように設けられていてもよい。
導光部材がその端縁に向かって拡がる形状で設けられることにより、導光部材の外側面から電球型光源装置の後方側へ向けて光を出射することも可能となる。【００１５】
前記導光部材の前記外側面を含む側壁は、前記導光部材の内部で前記入射端面と前記端縁とを直線で結ぶことができないように設定された曲率を有していてもよい。
これにより、外側面からの光の取り出し効率を高めることができる。【００１６】
本技術に係る導光部材は、上記した、外側面、入射端面、および光学パターン部を具備し、全体形状が筒状に設けられる。
【発明の効果】
【００１７】
以上のように、本技術によれば、電球型光源装置による広範囲の配光角を実現することができる。
なお、ここに記載された効果は必ずしも限定されるものではなく、本開示中に記載されたいずれかの効果であってもよい。
【図面の簡単な説明】
【００１８】
【図１】図１は、本技術の一実施形態に係る電球型光源装置を示す斜視図である。
【図２】図２は、図１に示した電球型光源装置の模式的な断面図である。
【図３】図３は、保持部材、導光板、および光源ユニットをそれぞれ示す斜視図である。
【図４】図４は、透光性カバーの一部を示す断面図である。
【図５】図５は、導光板と透光性カバーとの配置関係を説明するための、それらの前方側の一部を示す断面図である。
【図６】図６は、導光板の構成および機能を模式的に示す図である。
【図７】図７Ａ、Ｂは、導光板の内側面の光学パターンによる導光および光拡散の原理を説明する図である。
【図８】図８Ａ、Ｂは、導光板の曲率の違いに応じて発生する光線の違いを説明する図である。
【図９】図９Ａは、本技術の他の実施形態に係る電球型光源装置を示す一部断面図である。図９Ｂは、一般的な電球型ＬＥＤ照明を示す一部断面図である。
【発明を実施するための形態】
【００１９】
以下、図面を参照しながら、本技術の実施形態を説明する。
【００２０】
［電球型光源装置の全体構成］
図１は、本技術の一実施形態に係る電球型光源装置を示す斜視図である。図２は、図１に示した電球型光源装置の模式的な断面図である。以下の説明では、電球型光源装置を、単に光源装置という。
【００２１】
光源装置１００は、ベースユニット２０と、光源ユニット（光源）４０と、ｚ軸方向の一端側に設けられた機能部品としてのスピーカ３０と、透光性カバー５０とを備える。また、光源装置１００は、電気的な絶縁リング１６を介して、ｚ軸方向の他端側（スピーカ３０の位置とは反対側）に設けられた口金１５を備える。
【００２２】
説明の便宜のため、以下では、図１及び２におけるｚ軸に沿った方向を光源装置１００の前後方向として、具体的にはスピーカ３０側を前方、口金１５側を後方として内容を説明する。
【００２３】
図２に示すように、ベースユニット２０は、少なくとも光源ユニット４０と、透光性カバー５０とを支持する機能を有する。具体的には、ベースユニット２０は、前方側に開口を有するベース筐体１２と、ベース筐体１２の開口を覆うように設けられ、光源ユニット４０が接触し、透光性カバー５０を支持するヒートシンク１４とを含む。また、ベースユニット２０は、ヒートシンク１４上に固定された、スピーカ３０を保持する保持部材１１と、後述する各種の回路基板９０を収容する基板収容ボックス１３とを含む。ベース筐体１２は、高熱伝導性を有し、ヒートシンク１４に接触している。図３に示すように、例えばヒートシンク１４に設けられたネジ穴１４ａ（図３参照）を介したネジＳ２により、ヒートシンク１４と保持部材１１とが固定される。
【００２４】
透光性カバー５０には、前方側の第１の端部５０ｃに設けられた第１の開口５０ａと、ｚ軸方向に沿ってその反対側の第２の端部５０ｄに位置する第２の開口５０ｂとが形成されている。第１の開口５０ａをスピーカ３０が塞ぐように、スピーカ３０が透光性カバー５０に装着されている。透光性カバー５０の第２の開口５０ｂ側に、ヒートシンク１４を介してベース筐体１２が接続されている。透光性カバー５０は、例えばアクリル、またはポリカーボネート等、射出成形が可能な材料により形成される。
【００２５】
ヒートシンク１４は、スピーカ３０に含まれる振動板３５（図１参照）の振動方向（ｚ軸方向）に沿った、スピーカ３０の中心を通る軸である仮想的な中心軸Ｃ（図２参照）の周りに配置されている。ヒートシンク１４は板状であり、かつ、中心軸Ｃの全周に円環状に形成されている。
【００２６】
光源ユニット４０も、ヒートシンク１４と同様に中心軸Ｃの周りに配置され、典型的には円環状に設けられ（図３参照）、ヒートシンク１４上に配置されている。すなわち、中心軸Ｃは、円環状の光源ユニット４０の中心を通る軸であり、ヒートシンク１４および光源ユニット４０は同心円状に配置されている。
【００２７】
例えば光源ユニット４０は、円環状の実装基板４６と、実装基板４６上に円周上に配列された複数のＬＥＤ（Light Emitting Diode）素子４５とを有する。１つのＬＥＤ素子４５は、白色光を発生する素子が用いられるが、白色以外の単色または複数色の光を発生する素子であってもよい。
【００２８】
図２に示すように、基板収容ボックス１３は、本体１３１と、本体１３１からｚ軸に垂直な方向に突出するように設けられたフランジ当接部１３３とを有する。本体１３１内に、複数の回路基板９０が配置されている。フランジ当接部１３３はヒートシンク１４と接触している。具体的には、フランジ当接部１３３には環状の電源回路基板９１が載置されて接続され、ヒートシンク１４に、フランジ当接部１３３および電源回路基板９１が、複数のネジＳ１等により接続、固定されている。なお、電源回路基板９１には、電源回路を構成する部品９３が搭載されている。
【００２９】
基板収容ボックス１３の本体１３１の後方側には、ネジ穴１３ａが設けられる。図示しないネジにより、基板収容ボックス１３とベース筐体１２とが接続、固定される。
【００３０】
複数の回路基板９０には、例えば、光源ユニット４０の駆動回路、スピーカ３０の駆動回路、および無線通信用の回路等が搭載されている。
【００３１】
光源装置１００は、光源ユニット４０に対向して配置された導光部材としての導光板６０を有する。導光板６０は、筒状に形成されており、光源ユニット４０からの光を、その側面（外側面）から均一に出射させるように構成されている。導光板６０が設けられることにより、ＬＥＤ素子４５の点状に出射される光を面発光に変換されるので、ＬＥＤ素子４５の光が直接外部へ出射する場合のまぶしさを低減することができる。導光板６０の詳細については後述する。
【００３２】
図３は、保持部材１１、導光板６０、および光源ユニット４０をそれぞれ示す斜視図である。保持部材１１は、筒状の側壁１１ａと、その筒内に設けられ、スピーカ３０を支持するための支持板１１ｂとを有する。保持部材１１が、導光板６０の側壁６３内に嵌め込まれるようにして、導光板６０が保持部材１１に固定される。後でも説明するように、保持部材１１の側壁１１ａのうち外周面１１ｄの形状と、導光板６０の側壁６３の内側面の形状とがほぼ相似の関係にある。
【００３３】
保持部材１１の側壁１１ａの外周面１１ｄは、光を反射する反射面としての機能（光反射機能）を有する。反射面は、鏡面で形成され、あるいは白色で形成されることによって、高い光反射率を持つように構成される。
【００３４】
保持部材１１の側壁１１ａは、スピーカ３０の駆動回路を含む複数の回路基板９０の周囲を覆うように構成されている。これにより、保持部材１１は、スピーカ３０を駆動するための駆動回路を配置させる空間を確保し、かつ、光源装置１００の外部から見えないようにしている。
【００３５】
支持板１１ｂには、ネジＳ３でスピーカ３０を固定するためのネジ穴１１ｃが設けられている。
【００３６】
図１、２に示すように、光源ユニット４０の実装基板４６上であって、導光板６０の側壁６３の周囲には、円環状のカバー４８が取り付けられている。このカバー４８は実装基板４６の目隠しの機能を有する。カバー４８の表面（前方側の面）は、保持部材１１の側壁１１ａの外周面１１ｄと同様に、高い反射率を持つように構成されている。
【００３７】
［透光性カバーの構成］
本実施形態では、スピーカ３０が光源ユニット４０の照射方向に配置される。したがって、何も対策をしないと、点灯時には、スピーカ３０が光源ユニット４０からの光を遮り、照射面にはスピーカ３０の影が映り込んでしまう。これでは照明機能が損なわれる。そこで、本技術は、以下のように構成された透光性カバー５０を実現することにより、照明機能を確保している。
【００３８】
図４は、透光性カバー５０の一部を示す断面図である。この透光性カバー５０は、領域ごとに異なる肉厚を有している。透光性カバー５０は、凸レンズ機能を有する第１の領域５１と、凹レンズ機能を有する第２の領域５２とを含む。ベースユニット２０のうちヒートシンク１４が、第２の領域５２を第１の領域５１より光源ユニット４０に近い位置に配置させるように、光源ユニット４０および透光性カバー５０を支持している。具体的には、第１の領域５１は、光源ユニット４０から遠い第１の端部５０ｃに設けられ、第２の領域５２は、光源ユニット４０から近い側部５０ｅに設けられている。第２の領域５２は、第１の領域５１から第２の端部５０ｄにわたって設けられている。
【００３９】
これら第１の領域５１および第２の領域５２は、中心軸Ｃ（図２参照）の周囲にわたってそれぞれ設けられる。すなわち、第１の領域５１および第２の領域５２は、中心軸Ｃを通る位置に配置されるスピーカ３０の周囲にわたって設けられている。
【００４０】
第１の領域５１の平均肉厚は、透光性カバー５０の全体の平均肉厚より大きくなるように設計されている。第２の領域５２の平均肉厚は、透光性カバー５０の全体の平均肉厚より小さくなるように設計されている。
【００４１】
図５は、導光板６０と透光性カバー５０との配置関係を説明するための、それらの前方側の一部を示す断面図である。導光板６０の、光源ユニット４０が配置される側とは反対側（前方側）の端縁６２は、透光性カバー５０の第１の領域５１に対向するように配置されている。例えば、透光性カバー５０は、第１の領域５１および第１の開口５０ａにより形成される円環状の溝部５６を有している。この溝部５６に、導光板６０の端縁６２が入り込むように、かつ、端縁６２と透光性カバー５０とが接触しないように配置される。
【００４２】
透光性カバー５０の第１の端部５０ｃにおいて、最も前方側に位置する頂部５０ｆの位置が、導光板６０の入射端面６１（図２参照）から、その側壁６３（外側面または内側面）に沿って端縁６２に向かう方向の、端縁６２からの仮想の直線の延長線Ｅ上からずれた位置に配置されている。本実施形態では、頂部５０ｆの位置は、延長線Ｅ上から内側にずれているが、延長線Ｅ上から外側にずれていてもよい。
【００４３】
あるいは、延長線Ｅは、例えば入射端面６１からではなく、導光板６０のｚ方向で1/2の高さから、または入射端面６１を基準としてｚ方向全体の2/3の高さから、端縁６２までを結ぶ線の延長線であってもよい。
【００４４】
導光板６０は、後述するように、その外側面から均一に面発光により光を出射させる機能を有する。しかし、仮に、端縁６２から光が漏れる場合であっても、このような導光板６０および透光性カバー５０の配置および構造によれば、その漏れ光の発生による予期しない照度ムラの発生を抑えることができる。このような効果は、特に、後述する導光板の全体形状による効果（図８Ａを用いて説明する効果）との相乗効果を期待できる。
【００４５】
[導光板の構成]
図６は、導光板６０の構成および機能を模式的に示す図である。
導光板６０の全体形状は、ｚ方向の両側が開口された筒状になっている。導光板６０は、外側面６４および内側面６５を有する側壁６３と、一端に設けられた入射端面６１と、入射端面６１とは反対側に設けられた端縁６２とを有する。導光板６０は、入射端面６１を光源ユニット４０の複数のＬＥＤ素子４５に対向させるように配置される。このような構造により、外側面６４から面発光させるように導光し、広範囲の配光角を実現することができる。
【００４６】
導光板６０の内径および外径、つまり側壁６３は、入射端面６１から端縁６２に向かうにしたがい拡がるように設定されている。また、導光板６０の肉厚は、入射端面６１から端縁６２に向かうにしたがい薄くなるように設定されている。
【００４７】
導光板６０は、保持部材１１の側壁１１ａを囲むように配置される。上述したように、保持部材１１の外周面１１ｄの形状と、導光板６０の側壁６３の内側面６５の形状とがほぼ相似の関係にあり、内側面６５が保持部材１１の外周面１１ｄに沿うように設けられている。
【００４８】
図２に示すように、導光板６０のうち、入射端面６１に近い領域は、反射機能を有する部材である保持部材１１およびカバー４８の間に挟まれている。これにより、当該領域では、導光板６０は、光源ユニット４０からの光を、ほぼ全て入射端面６１から入射させることができる。
【００４９】
導光板６０の側壁６３は、外側面６４および内側面６５を有する。図６に示すように、側壁６３には、入射端面６１から入射する光を外側面６４から出射するように構成された光学パターン部が形成されている。
【００５０】
光学パターン部は、外側面６４および内側面６５のうち少なくとも一方に設けられた光拡散機能を有する光学パターンである。あるいは、光学パターン部は、内側面６５に着目すると、この内側面６５に設けられた、光反射角度を変化させる機能を有する導光パターンである。
本技術のより好ましい形態である本実施形態としては、外側面６４に光拡散機能を有する光学パターンが設けられ、内側面６５に光反射角度を変化させる機能を有する導光パターンが設けられる。このような光学パターン部により、面上輝度を平均化することができる。
【００５１】
内側面６５の光学パターンとしては、入射端面６１側からその反対側の端縁６２までの方向に沿って階段状の導光パターンが形成されている。この階段状の導光パターンは、光源ユニット４０から遠くなるにしたがい密になるように設けられている。階段状の導光パターンに代えて、Ｖカット（断面がＶ字状の凹部）等の楔加工による導光パターンであっても、階段状の導光パターンと同様な作用がある。
【００５２】
内側面６５の階段状の導光パターンは、外側面６４を介して外部へ出射させるように光反射角度を変化させるように構成される。すなわち、階段状の導光パターンは、入射端面６１から入射して導光板６０内部で全反射しながら進む光のうち、全反射角度とは異なる角度で入射した光を、保持部材１１の側壁１１ａに入射させるか、または導光板６０の外部へ出射可能な角度で外側面６４に向かわせることができる。
【００５３】
内側面６５の光学パターンは、階段状でなくてもよく、例えばシルク印刷、シボ加工等が施された上述の光拡散機能を有する光学パターンであってもよい。導光板６０が射出成形で形成される場合、内側面６５の光学パターンが階段状に形成されることにより、離型が容易になる。
【００５４】
ここで、内側面６５の光学パターンの「疎密」による導光および光拡散の原理について説明する。図７Ａに示すように、入射端面１７１を介して導光板１７０に入射した光源１４０からの光は、反射板１２０が配置される内側面１７５上に設けられたシボ加工や楔加工等（図では楔加工）の、光拡散機能または光反射角度を変化させる機能を有する光学パターン１７５ａにより、拡散、散乱する。入射端面１７１から入射して、光源１４０から遠い位置で内側面１７５に到達する光の量は、光源１４０から近い位置で内側面１７５に到達する光の量に比べ少なくなる。
【００５５】
このような光量状態を補償するために、本実施形態は図７Ｂに示す導光板１６０の構造を採用している。すなわち、外側面１６４に光を導く内側面１６５の光学パターン１６５ａを、光源１４０から遠くなるにしたがい密にしていくことで、面上輝度の平均化の効果を高めることができる。
【００５６】
一方、外側面６４の光拡散機能を有する光学パターンは、例えばシルク印刷、ブラスト加工、シボ加工等が施された光学パターンである。このように、光の出射面である外側面６４も光拡散機能を有することにより、面上輝度の平均化の効果を高めることができる。
【００５７】
本実施形態に係る導光板６０の肉厚は、光源から遠くなるにしたがい薄くなるように設けられる。図７Ａに示したように光源から遠くなるにしたがい光量が減るので、これを補うように肉厚を徐々に薄くすることで、光取り出し効率を平均化できるので、面上輝度の平均化の効果を高めることができる。
【００５８】
本実施形態に係る導光板６０の全体形状は、端縁６２に向かうにしたがい大きくなるように設けられるので、光源装置１００の後方側へ向けて光を出射することも可能となる。このように配光角を制御することにより、光源装置１００の周囲全体の配光量の均一化を図ることができる。
【００５９】
さらに、図８Ａに示すように、導光板６０の側壁６３は、導光板６０の内部で入射端面６１と端縁６２とを直線で結ぶことができないように設定された曲率を有する。このような構成により、図８Ｂに示すように、入射端面から端縁までの一直線で抜ける光線の発生を抑制し、導光板６０の外側面６４からの光取り出し効率を高め、また、意図しない不要な光照射を抑制できる。
【００６０】
［他の実施形態に係る導光板］
図９Ａは、本技術の他の実施形態に係る電球型光源装置を示す一部断面図である。この電球型光源装置２００は、上記実施形態のような機能部品（スピーカ３０）を備えていない。このように、一般的な電球型ＬＥＤ照明に、本実施形態に係る導光板６０を適用することができる。
【００６１】
なお、図９Ｂに示すように、一般的な電球型ＬＥＤ照明１５０による配光角は、前方側から側方に及ぶ。これに対して、本実施形態に係る導光板６０によれば、前方側から後方側までに及び、広範囲の配向角を実現することができる。
［その他の実施形態］
本技術は、以上説明した実施形態に限定されず、他の種々の実施形態を実現することができる。
【００６２】
上記実施形態に係る導光板６０は、光源から遠くなるにしたがい、その外径が大きくなるように設けられたが、外径はｚ方向で一定であってもよい。
【００６３】
上記光源ユニット４０やヒートシンク１４等の形状は円環状としたが、円以外の環状であってもよい。円以外の環状とは、例えば、三角形以上の多角形でもよいし、円または多角形状で、周方向に不連続に形成される物も含む。
【００６４】
上記実施形態に係る光源装置は機能部品としてスピーカ３０を備えていたが、スピーカ３０に代えて、他の機能部品を備えていてもよい。他の機能部品とは、例えばイメージセンサ、光センサ、超音波センサ、放射線センサ、温度センサ等である。
【００６５】
上記光源ユニットは、ＬＥＤ素子としていわゆる発光ダイオードを有する構成としたが、例えば有機ＬＥＤ等のように面発光可能な素子が用いられてもよい。
【００６６】
以上説明した各形態の特徴部分のうち、少なくとも２つの特徴部分を組み合わせることも可能である。
【００６７】
なお、本技術は以下のような構成もとることができる。
（１）
環状に設けられた光源と、
外側面と、前記光源に対向する入射端面と、前記入射端面から入射する光を前記外側面から出射するように構成された光学パターン部とを有する筒状の導光部材と
を具備する電球型光源装置。
（２）
前記（１）に記載の電球型光源装置であって、
機能部品と、
光反射機能を有する外周面を有し、前記外周面を前記導光部材に囲まれるように配置され、前記機能部品を保持するように構成された保持部材と
をさらに具備する電球型光源装置。
（３）
前記（２）に記載の電球型光源装置であって、
前記導光部材は、内側面をさらに有し、
前記光学パターン部は、前記内側面に形成された光学パターンを含む
電球型光源装置。
（４）
前記（３）に記載の電球型光源装置であって、
前記光学パターン部は、前記光学部材の前記外側面に形成された光学パターンを含む
電球型光源装置。
（５）
前記（４）に記載の電球型光源装置であって、
前記内側面および前記外側面の光学パターンは、光拡散機能を有する光学パターンである
電球型光源装置。
（６）
前記（３）または（４）に記載の電球型光源装置であって、
前記内側面に形成された光学パターンは、光を前記外側面を介して外部へ出射させるように光反射角度を変化させる機能を有する
電球型光源装置。
（７）
前記（３）から（６）のうちいずれか１項に記載の電球型光源装置であって、
前記内側面に形成された光学パターンは、前記光源から遠くなるにしたがい密になるように設けられる
電球型光源装置。
（８）
前記（２）から（７）のうちいずれか１項に記載の電球型光源装置であって、
前記導光部材の肉厚は、前記光源から遠くなるにしたがい薄くなるように設けられる
電球型光源装置。
（９）
前記（２）から（８）のうちいずれか１項に記載の電球型光源装置であって、
前記導光部材は、前記入射端面とは反対側に設けられた端縁をさらに有し、
前記導光部材の外径は、前記入射端面から前記端縁に向かうにしたがい大きくなるように設けられる
電球型光源装置。
（１０）
前記（９）に記載の電球型光源装置であって、
前記導光部材の前記外側面は、前記導光部材の内部で前記入射端面と前記端縁とを直線で結ぶことができないように設定された曲率を有する
電球型光源装置。
（１１）
前記（１）に記載の電球型光源装置であって、
前記導光部材は、内側面をさらに有し、
前記光学パターン部は、前記内側面に形成された光学パターンを含む
電球型光源装置。
（１２）
前記（１１）に記載の電球型光源装置であって、
前記光学パターン部は、前記光学部材の前記外側面に形成された光学パターンを含む
電球型光源装置。
（１３）
前記（１２）に記載の電球型光源装置であって、
前記内側面および前記外側面の光学パターンは、光拡散機能を有する光学パターンである
電球型光源装置。
（１４）
前記（１１）または（１２）に記載の電球型光源装置であって、
前記内側面に形成された光学パターンは、光を前記外側面を介して外部へ出射させるように光反射角度を変化させる機能を有する
電球型光源装置。
（１５）
前記（１１）から（１４）のうちいずれか１項に記載の電球型光源装置であって、
前記内側面に形成された光学パターンは、前記光源から遠くなるにしたがい密になるように設けられる
電球型光源装置。
（１６）
前記（１）、または（１１）から（１５）のうちいずれか１項に記載の電球型光源装置であって、
前記導光部材の肉厚は、前記光源から遠くなるにしたがい薄くなるように設けられる
電球型光源装置。
（１７）
前記（１）、または（１１）から（１６）のうちいずれか１項に記載の電球型光源装置であって、
前記導光部材は、前記入射端面とは反対側に設けられた端縁をさらに有し、
前記導光部材の外径は、前記入射端面から前記端縁に向かうにしたがい大きくなるように設けられる
電球型光源装置。
（１８）
前記（１７）に記載の電球型光源装置であって、
前記導光部材の側壁は、前記導光部材の内部で前記入射端面と前記端縁とを直線で結ぶことができないように設定された曲率を有する
電球型光源装置。
（１９）
外側面と、
環状に設けられた光源に対向して配置されることが可能な入射端面と、
前記入射端面から入射する光を前記外側面から出射するように構成された光学パターン部とを具備し、
全体形状が筒状に設けられた導光部材。
【符号の説明】
【００６８】
１１…保持部材
１１ｄ…外周面
３０…スピーカ
４０…光源ユニット
４５…ＬＥＤ素子
６０…導光板
６１…入射端面
６２…端縁
６３…側壁
６４…外側面
６５…内側面
１００、２００…電球型光源装置
【図１】
2016035253.tif 000003
【図２】
2016035253.tif 000004
【図３】
2016035253.tif 000005
【図４】
2016035253.tif 000006
【図５】
2016035253.tif 000007
【図６】
2016035253.tif 000008
【図７】
2016035253.tif 000009
【図８】
2016035253.tif 000010
【図９】
2016035253.tif 000011
【国際調査報告】
2016035253.tif 000012
2016035253.tif 000013
2016035253.tif 000014
2016035253.tif 000015